(57)【要約】【課題】磁性体反転表示パネルの筆記面に、頭髪を容易に且つ趣向性を持って描くことができる磁性体反転表示パネル用の頭髪描画用具を提供する。【解決手段】柄部材の先端側に、該柄部材の軸心に沿った方向にＳ極又はＮ極のいずれか一方の磁極が表側に間隔を空けて複数位置した磁石を配設し、該磁石を磁性体反転表示パネルの筆記面に接した状態で移動して磁性体反転表示パネルの磁性体を反転することにより、磁性体反転表示パネルの筆記面に頭髪条の複数の並行線を表示可能とする。あるいは、柄部材の先端側に、該柄部材の軸心に沿った方向にＳ極及びＮ極の磁極が表側に交互に複数位置した磁石を配設し、該磁石を磁性体反転表示パネルの筆記面に接した状態で移動して磁性体反転表示パネルの磁性体を反転することにより、磁性体反転表示パネルの筆記面に頭髪状の複数の並行線を表示可能とする。【選択図】　　　図１
2004066453.tif 000002
【特許請求の範囲】
【請求項１】
Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の描画用具であって、柄部材の先端側に、該柄部材の軸心に沿った方向にＳ極又はＮ極のいずれか一方の磁極が表側に間隔を空けて複数位置した磁石を配設し、該磁石を磁性体反転表示パネルの筆記面に接した状態で移動して磁性体反転表示パネルの磁性体を反転することにより、磁性体反転表示パネルの筆記面に頭髪条の複数の並行線を表示可能としたことを特徴とする、磁性体反転表示パネル用の頭髪描画用具。
【請求項２】
Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の描画用具であって、柄部材の先端側に、該柄部材の軸心に沿った方向にＳ極及びＮ極の磁極が表側に交互に複数位置した磁石を配設し、該磁石を磁性体反転表示パネルの筆記面に接した状態で移動して磁性体反転表示パネルの磁性体を反転することにより、磁性体反転表示パネルの筆記面に頭髪状の複数の並行線を表示可能としたことを特徴とする、磁性体反転表示パネル用の頭髪描画用具。
【請求項３】
前記柄部材の先端側に幅広部を形成し、前記磁石を、シート状で可撓性を有する前記幅広部より幅の広い磁性部材に着磁を施して形成し、前記磁石を幅の広い方向に撓ませて、幅の広い方向の側部を前記幅広部の幅方向の側部に固着したことを特徴とする、請求項１又は２に記載の磁性体反転表示パネル用の頭髪描画用具。
【請求項４】
前記磁石が、磁性体反転表示パネルの筆記面に対して線接触することを特徴とする、請求項１ないし３のいずれか１項に記載の磁性体反転表示パネル用の頭髪描画用具。
【発明の詳細な説明】
【０００１】
【発明の属する技術分野】
本発明は、磁性体反転表示パネル用の頭髪描画用具に関する。
【０００２】
【従来の技術】
従来より、例えばＳ極側表面部分を緑にＮ極側表面部分を白に着色した磁性体を分散媒と増稠剤とを主成分とする降伏値を有する液体中に分散してなした分散液体を、複数の液体収容室（例えば、裏面板の上に配した隔壁により仕切られたハニカムセル）に収容し、該液体収容室の表側に透明な表面板を配して筆記面とし、筆記面が白色の状態（Ｎ極側表面部分が筆記面に向いた状態）で、磁気ペンのＮ極を近づけることにより、磁力で磁性体を反転させて白色（Ｎ極側表面部分が筆記面に向いた状態）の背景部に緑色（Ｓ極側表面部分が筆記面に向いた状態）の筆記線を描込み、筆記線を消去する際には、磁気イレーザーのＳ極を筆記面に近づけることにより、磁性体を反転させて筆記面を白色にする構造の、いわゆる磁性体反転表示パネルは知られている。
【０００３】
【発明が解決しようとする課題】
ところで、磁性体反転表示パネルは、幼児達のお絵描き等の玩具用の筆記ボードとしても提供されており、幼児達は筆記面に人形の絵等を描いて楽しんでいる。この時、前述した磁気ペンを用いて、顔の輪郭や目鼻口耳等を描いているが、頭髪に関しても１本１本描いており、特にストレートヘアーのように真っ直ぐな並行線を描くことは困難である。また、磁気ペンで何本もの筆記線を描くという作業は面白味に欠けるものであった。
【０００４】
本発明はこうした事実に鑑み、磁性体反転表示パネルの筆記面に、頭髪を容易に且つ趣向性を持って描くことができる磁性体反転表示パネル用の頭髪描画用具を提供することを目的とする。
【０００５】
【課題を解決するための手段】
次に、前記課題を解決するために案出した本発明を説明する。
「１．Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の描画用具であって、柄部材の先端側に、該柄部材の軸心に沿った方向にＳ極又はＮ極のいずれか一方の磁極が表側に間隔を空けて複数位置した磁石を配設し、該磁石を磁性体反転表示パネルの筆記面に接した状態で移動して磁性体反転表示パネルの磁性体を反転することにより、磁性体反転表示パネルの筆記面に頭髪条の複数の並行線を表示可能としたことを特徴とする、頭髪描画用具である。
２．Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の描画用具であって、柄部材の先端側に、該柄部材の軸心に沿った方向にＳ極及びＮ極の磁極が表側に交互に複数位置した磁石を配設し、該磁石を磁性体反転表示パネルの筆記面に接した状態で移動して磁性体反転表示パネルの磁性体を反転することにより、磁性体反転表示パネルの筆記面に頭髪状の複数の並行線を表示可能としたことを特徴とする、頭髪描画用具である。
３．前記柄部材の先端側に幅広部を形成し、前記磁石を、シート状で可撓性を有する前記幅広部より幅の広い磁性部材に着磁を施して形成し、前記磁石を幅の広い方向に撓ませて、幅の広い方向の側部を前記幅広部の幅方向の側部に固着したことを特徴とする、１項又は２項に記載の頭髪描画用具である。
４．前記磁石が、磁性体反転表示パネルの筆記面に対して線接触することを特徴とする、１項ないし３項のいすれか１項に記載の頭髪描画用具である。」
【０００６】
本発明において、柄部材の先端側に磁石を配設するのは、磁石をブラシに、柄部材をハンドルに見立てたヘアーブラシ形状にして趣向性を持たせるためである。また、磁石を、シート状で可撓性を有する磁性部材を撓ませて形成することにより、磁石が弾力構造となり、使用時に筆記面を傷つけないようにすることができる。また、磁石が筆記面に対して線接触することにより、曲部でも滑らかな線を描込むことができる。
【０００７】
【発明の実施の形態】
本発明を理解し易くするために図を用いて説明を行なう。尚、本実施の形態における頭髪描画用具においては、磁石の磁性体反転表示パネルの筆記面に当接する側を表と表現し、その反対を裏と表現する。同じ部材、同じ箇所を示す場合は同じ符号を付してある。
【０００８】
第一の実施の形態の頭髪描画用具を図１〜図３に示す。図１は本実施の形態の頭髪描画用具の姿図で、図２は図１を裏から見た図で、図３は分解図である。頭髪描画用具１は、柄部材２の先端側に磁石３を配設してある。磁石３はシート状で可撓製を有する平板状の磁性部材４で形成したものであり、柄部材２の先端側に形成した幅広部２ａの左右に設けた溝部２ｂに側端部３ｃを挿嵌し固着してある。したがって、頭髪描画用具１は全体としてヘアーブラシの形状を呈している。
【０００９】
また、図を用いて磁石３を詳述すると、図４は磁石３の姿図で、図５は図４のＡ−Ａ線一部断面図である。磁石３は表面３ａ側に、柄部材２の軸心に沿った方向にＮ極の磁極３ｎが互いの間隔を空けて複数位置するように着磁してある。裏面３ｂ側には、磁極３ｎに対応するＳ極の磁極３ｓが同じように複数位置している。尚、磁石３の幅３ｗは、柄部材２の先端側に形成した幅広部２ａの幅２ｗより大きくしてあり、側部３ｃを溝部２ｂに挿着した際には、磁石３が表側に向かって撓み半円状となり、空間部５が柄部材２の軸心に沿った方向に開口する（図１参照）。
【００１０】
次に、図を用いて本実施の形態の頭髪描画用具の作用の説明をする。尚、その説明の前に、磁性体反転表示パネルについて簡単に説明を行う。図１８は従来公知の磁性体反転表示パネルの断面模式図である。磁性体反転表示パネル１０１は、裏面板１０２に複数のハニカムセル１０３を構成する隔壁１０４を固着して形成した液体収容室１０５の表示面側に、筆記面１０６ａとなる透明な表面板１０６を隔壁１０４に固着して一体としてある。液体収容室１０５には、分散媒と増稠剤とからなる液体１０７中にＳ極とＮ極を有する磁性体１０８を分散した降伏値を有する分散液体１０９を収容してある。磁性体１０８はＳ極側表面部分を緑色に着色し、Ｎ極側表面部分を白色に着色してある。磁性体反転表示パネル１０１に筆記線を描き込むには、棒状の磁気ペン１１０を使用する。例えば、筆記面１０６ａが白色（Ｎ極側表面部分）の表示状態で、磁気ペン１１０の軸筒１１１の前方部に配設した磁石１１２のＮ極１１２ｎを筆記面１０６ａに当接して矢印Ｔ方向へ移動させると、磁力Ｗ（図中の一点鎖線の矢印）により磁性体１０８の緑色（Ｓ極側表面部分）が線状に筆記面１０６ａ側へ配置される。この場合、背景が白色（Ｎ極側表面部分）の筆記面１０６ａに、緑（Ｓ極側表面部分）の筆記線が描かれた表示状態となる。
【００１１】
また、白色の背景に緑（Ｓ極側表面部分）の表示が行われている筆記面１０６ａを白色に戻す場合には、磁気イレーザー１１３を使用する。磁気イレーザー１１３は平べったい磁石であり、図において上下にＳ極１１３ｓとＮ極１１３ｎの磁性体反転磁極を有している。磁気イレーザー１１３のＳ極１１３ｓ側を、磁性体反転表示パネル１０１の筆記面１０６ａの緑（Ｓ極側表面部分）の表示部分に当接させると、磁性体１０８の白色（Ｎ極側表面部分）が筆記面１０６ａ側に配置して、筆記面１０６ａを白色の表示状態に戻すことができる。
【００１２】
図６は磁性体反転表示パネルに本実施の形態の頭髪描画用具を使用した状態の筆記面を示す平面図である。筆記面１０６ａには白（磁性体のＮ極側表面部分が筆記面に向いた状態）の背景に、緑（磁性体のＳ極側表面部分が筆記面に向いた状態）の人形の頭部２００が表示された状態である。説明は簡略するが、眉２０１，目２０２，鼻２０３，口２０４は、それぞれの形態を有する磁石、いわゆる磁気スタンプ（図示せず）を筆記面１０６ａに接触して表示させたもので、輪郭２０５は磁気ペン１１０で表示させたものである。この顔２０６に対し、頭髪描画用具１で頭髪２０７を描き込んである。
【００１３】
図７は図６に髪を描き足した図である。図７では、図６の状態の頭髪２０７を頭髪描画用具１で髪を梳かすようにして頭髪２０８や頭髪２０９を描き足してある。頭髪描画用具１に配設した磁石３は表面３ａ側にＮ極の磁極３ｎしか存在しないので（図１参照）、一度磁石３のＮ極の磁極３ｎにより緑（Ｓ極側表面部分）に反転した磁性体は、再度、頭髪描画用具１が同じ場所を通過しても、白（Ｎ極側表面部分）に再反転することがない。したがって、頭髪描画用具１を使用すればするほど頭髪は増える一方で、髪の密度を増やすことが可能である。また、本実施の形態の磁石３は半円状になっており、筆記面１０６ａに対して線接触するので、頭髪のＲ部を滑らかに描くことができる。特に、頭髪描画用具１を左右に蛇行させながら移動させることにより、図８に示すように、ウェーブヘア２０８ａ，２０９ａを描き足すことができる。
【００１４】
第二の実施の形態の頭髪描画用具を図９〜図１１に示す。図９は本実施の形態の頭髪描画用具の姿図で、図１０は図９を裏から見た図で、図１１は分解図である。頭髪描画用具１０は、柄部材２の先端側に磁石３０を配設してある。磁石３０はシート状で可撓製を有する平板状の磁性部材４０で形成したものであり、柄部材２の先端側に形成した幅広部２ａの左右に設けた溝部２ｂに、磁石３０の側端部３０ｃを挿嵌し固着してある。したがって、頭髪描画用具１０は全体としてヘアーブラシの形状を呈している。
【００１５】
また、図を用いて磁石３０を詳述すると、図１２は磁石３０の姿図で、図１３は図１２のＢ−Ｂ線一部断面図である。磁石３０は表面３０ａ側に、柄部材２の軸心に沿った方向にＮ極の磁極３０ｎとＳ極の磁極３１ｓが交互に複数位置するように着磁してある。裏面３０ｂ側には、Ｎ極の磁極３０ｎに対応するＳ極の磁極３０ｓと、Ｓ極の磁極３１ｓに対応するＮ極の磁極３１ｎとが同じように交互に複数位置している。尚、磁石３０の幅３０ｗは、柄部材２の先端側に形成した幅広部２ａの幅２ｗより大きくしてあり、側端部３０ｃを溝部２ｂに挿着した際には、磁石３０が表側に向かって撓み半円状となり、空間部５が柄部材２の軸心に沿った方向に開口する（図９参照）。
【００１６】
次に、図を用いて本実施の形態の頭髪描画用具の作用の説明をする。図１４は磁性体反転表示パネルに本実施の形態の頭髪描画用具を使用した状態の筆記面を示す平面図である。筆記面１０６ａには白（磁性体のＮ極側表面部分が筆記面に向いた状態）の背景に、緑（磁性体のＳ極側表面部分が筆記面に向いた状態）の人形の頭部２１０が表示された状態である。説明は簡略するが、眉２１１，目２１２，鼻２１３，口２１４は、それぞの形態を有する磁石、いわゆる磁気スタンプ（図示せず）を筆記面１０６ａに接触して表示させたもので、輪郭２１５及び耳２２０は磁気ペン１１０で表示させたものである。この顔２１６に対し、頭髪描画用具１０で頭髪２１７を描込んである。
【００１７】
図１５は図１４に髪を描き足した図である。図１５では、図１４の状態の頭髪２１７を頭髪描画用具１０で髪を梳かすようにして頭髪２１８や頭髪２１９を描き足してある。頭髪描画用具１０に配設した磁石３０は、表面３０ａ側にＮ極の磁極３０ｎとＳ極の磁極３１ｓとが存在するので、一度緑（Ｓ極側表面部分）に反転した磁性体も、頭髪描画用具１０が同じ場所を通過することにより、白（Ｎ極側表面部分）に再反転する。したがって、頭髪描画用具１を別方向に動かせば、新しい角度の頭髪２１８，２１９を描くことが可能である。また、図１３に示す本実施の形態の磁石３０は、表面３０ａ側の磁極に対応する反対の磁極が裏面３０ｂ側に位置して断面方向において分極するよう磁性部材４０に着磁したものであるが、磁極を磁性部材４０の断面方向においては分極させずに、柄部材２の軸心に沿った方向においてＳ極とＮ極とが分極するように着磁したものでも同様の作用となる。尚、本実施の形態の磁石３０も半円状になっており、筆記面１０６ａに対して線接触するので、図示しないが頭髪のＲ部を滑らかに描くことができる。
【００１８】
図１６は第三の実施の形態の頭髪描画用具の姿図で、図１７は第四の実施の形態の頭髪描画用具の姿図である。図１６に示す頭髪描画用具１１は、柄部材２１の先端側に形成した幅広部２１ａにかまぼこ状の磁石５０を接着してある。磁石５０は、表面５０ａにＮ極の磁極５０ｎとＳ極の磁極５０ｓが交互に複数位置している。図１７に示す頭髪描画用具１２は、柄部材２２の先端側に形成した幅広部２２ａに断面三角形の磁石６０を接着してある。磁石６０は、表面６０ａにＮ極の磁極６０ｎとＳ極の磁極６０ｓが交互に複数位置している。
【００１９】
以上、本発明の実施の形態を詳述したが、本発明は、前記形態例に限定されるものではなく、特許請求の範囲に記載した本発明の要旨の範囲内で種々の変更を行うことができるものである。例えば、シート状の磁性部材を持ち易くするために、把持部材を取付けても良い。尚、磁性体反転表示パネルのパネル構造としては、マイクロカプセルを液体収容室として分散液体（磁性体を降伏値を有する液体中に分散した液体）を収容したものに採用することも可能である。
【００２０】
【発明の効果】
本発明の磁性体反転表示パネル用の頭髪描画用具は前述したような構造なので、形状がヘアーブラシのようで趣向性があり、また、磁極が規則的に配列していることから揃った真っ直ぐな並行線を描くことができ、筆記面に頭髪状の筆記線を容易に描くことができるものとなった。
【図面の簡単な説明】
【図１】第一の実施の形態の頭髪描画用具の姿図である。
【図２】図１を裏から見た図である。
【図３】図１の分解図である。
【図４】磁性部材の姿図である。
【図５】図４のＡ−Ａ線一部断面図である。
【図６】磁性体反転表示パネルに第一の実施の形態の頭髪描画用具を使用した状態の筆記面を示す平面図である。
【図７】図６に髪を描き足した図である。
【図８】図６に髪を描き足した図である。
【図９】第二の実施の形態の頭髪描画用具の姿図である。
【図１０】図９を裏から見た図である。
【図１１】図９の分解図である。
【図１２】磁性部材の姿図である。
【図１３】図１２のＢ−Ｂ線一部断面図である。
【図１４】磁性体反転表示パネルに第二の実施の形態の頭髪描画用具を使用した状態の筆記面を示す平面図である。
【図１５】図１４に髪を描き足した図である。
【図１６】第三の実施の形態の頭髪描画用具の姿図である。
【図１７】第四の実施の形態の頭髪描画用具の姿図である。
【図１８】従来公知の磁性体反転表示パネルの断面模式図である。
【符号の説明】
１，１０，１１，１２…頭髪描画用具、
２，２１，２２…柄部材、２ａ，２１ａ，２２ａ…幅広部、２ｂ…溝部、
３，３０，５０，６０…磁石、
４，４０…磁性部材、３ａ，３０ａ，５０ａ，６０ａ…表面、
３ｂ，３０ｂ…裏面、３ｃ，３０ｃ…側端部、
３ｎ，３０ｎ，３１ｎ，５０ｎ，６０ｎ…Ｎ極の磁極、
３ｓ，３０ｓ，３１ｓ，５０ｓ，６０ｓ…Ｓ極の磁極、
１０１…磁性体反転表示パネル、１０２…裏面板、
１０３…ハニカムセル、
１０４…隔壁、１０５…液体収容室、１０６…表面板、１０６ａ…筆記面、
１０７…液体、１０８…磁性体、１０９…分散液体、
１１０…磁気ペン、１１３…磁気イレーザー。
【図１】
2004066453.tif 000003
【図２】
2004066453.tif 000004
【図３】
2004066453.tif 000005
【図４】
2004066453.tif 000006
【図５】
2004066453.tif 000007
【図６】
2004066453.tif 000008
【図７】
2004066453.tif 000009
【図８】
2004066453.tif 000010
【図９】
2004066453.tif 000011
【図１０】
2004066453.tif 000012
【図１１】
2004066453.tif 000013
【図１２】
2004066453.tif 000014
【図１３】
2004066453.tif 000015
【図１４】
2004066453.tif 000016
【図１５】
2004066453.tif 000017
【図１６】
2004066453.tif 000018
【図１７】
2004066453.tif 000019
【図１８】
2004066453.tif 000020